(57)【特許請求の範囲】
【請求項１】
色信号を輝度信号の高域周波数領域に周波数多重した複合映像信号の動きを検出する回路において、
水平走査周波数に同期した周波数で標本化された複合映像信号を１ライン分遅延させる複数のライン遅延手段と、
複合映像信号を１フィールド分遅延させる複数のフィールド遅延手段よりなるメモリ回路と、
入力複合映像信号と上記ライン遅延手段あるいは上記フィールド遅延手段により遅延された複合映像信号から、１フレーム間の差分信号を抽出する第一の時間方向差分検出手段と、
入力複合映像信号と上記ライン遅延手段あるいは上記フィールド遅延手段により遅延された複合映像信号から、２フレーム間の差分信号を抽出する第二の時間方向差分検出手段と、
入力複合映像信号と上記ライン遅延手段あるいは上記フィールド遅延手段により遅延された複合映像信号から、色信号が輝度信号に周波数多重された領域成分を抽出する時間−垂直−水平方向多重色信号成分抽出手段と、
上記時間−垂直−水平方向多重色信号成分抽出手段出力の絶対値を算出する第一の絶対値算出手段と、
上記１フレーム間の差分信号の絶対値を算出する第二の絶対値算出手段と、
上記２フレーム間の差分信号の絶対値を算出する第三の絶対値算出手段と、
上記１フレーム間差分信号の絶対値から上記第一の絶対値算出手段出力を減算する減算手段と、
上記第三の絶対値算出手段出力と上記減算手段出力とを合成して動き検出信号を出力する合成回路と
を備え、
上記時間−垂直−水平方向多重色信号成分抽出手段は、時間周波数−垂直周波数平面の第２及び第４象限において色信号が存在する−１５[Ｈｚ］、５２５／４［ｃｐｈ]の領域の成分、及び１５[Ｈｚ］、−５２５／４［ｃｐｈ]の領域の成分を抽出し、それ以外の領域の成分を抽出せず、
前記時間周波数−垂直周波数平面の−１５[Ｈｚ］、５２５／４［ｃｐｈ]の領域の成分、及び１５[Ｈｚ］、−５２５／４［ｃｐｈ]の領域の成分は、前記動き検出信号の一部とはならず、それ以外の領域の成分は、前記動き検出信号の一部となるようにした
ことを特徴とする動き検出回路。
【請求項２】
色信号を輝度信号の高域周波数領域に周波数多重した複合映像信号と、輝度信号の高精細成分を伝送帯域内に周波数多重した高精細映像信号との動きを検出する回路において、
水平走査周波数に同期した周波数で標本化された入力映像信号を１ライン分遅延させる複数のライン遅延手段と、
入力映像信号を１フィールド分遅延させる複数のフィールド遅延手段よりなるメモリ回路と、
入力映像信号と上記ライン遅延手段あるいは上記フィールド遅延手段により遅延された映像信号から、１フレーム間の差分信号を抽出する第一の時間方向差分検出手段と、
入力映像信号と上記ライン遅延手段あるいは上記フィールド遅延手段により遅延された映像信号から、２フレーム間の差分信号を抽出する第二の時間方向差分検出手段と、
入力映像信号と上記ライン遅延手段あるいは上記フィールド遅延手段により遅延された映像信号から、色信号が輝度信号に周波数多重された領域成分を抽出する時間垂直水平方向多重色信号成分抽出手段と、
入力映像信号と上記ライン遅延手段あるいは上記フィールド遅延手段により遅延された映像信号から、高精細成分が輝度信号に周波数多重された領域成分を抽出する時間垂直水平方向多重高精細成分抽出手段と、
上記入力映像信号が現行の複合映像信号であるか高精細映像信号であるか、また高精細映像信号であるなら輝度信号の高精細成分が多重されているか否か、を判断する識別制御信号デコーダと、
上記時間垂直水平方向多重色信号成分抽出手段出力と上記時間垂直水平方向多重高精細成分抽出手段出力とを加算する加算手段と、
上記時間垂直水平方向多重高精細成分抽出手段出力を上記時間水平垂直方向多重色信号成分抽出手段出力と加算するか否かを、上記識別制御デコーダの識別結果により、輝度信号の高精細成分が多重されていると判断された場合は加算する側に、輝度信号の高精細成分が多重されていないと判断された場合は加算しない側に、切り替えるスイッチと、
上記加算手段出力の絶対値を算出する第一の絶対値算出手段と、
上記１フレーム間の差分信号の絶対値を算出する第二の絶対値算出手段と、
上記２フレーム間の差分信号の絶対値を算出する第三の絶対値算出手段と、
上記フレーム間差分信号の絶対値から上記第一の絶対値算出手段出力を減算する減算手段と、
上記絶対値算出手段出力と上記減算手段出力とを合成する合成回路と
を備えたことを特徴とする動き検出回路。
【請求項３】
色信号を輝度信号の高域周波数領域に周波数多重した複合映像信号と、輝度信号の高精細成分を伝送帯域内に周波数多重した高精細映像信号との動きを検出する回路において、
水平走査周波数に同期した周波数で標本化された入力映像信号を１ライン分遅延させる複数のライン遅延手段と、
入力映像信号を１フィールド分遅延させる複数のフィールド遅延手段よりなるメモリ回路と、
入力映像信号と上記ライン遅延手段あるいは上記フィールド遅延手段により遅延された映像信号から、１フレーム間の差分信号を抽出する第一の時間方向差分検出手段と、
入力映像信号と上記ライン遅延手段あるいは上記フィールド遅延手段により遅延された映像信号から、２フレーム間の差分信号を抽出する第二の時間方向差分検出手段と、
入力映像信号と上記ライン遅延手段あるいは上記フィールド遅延手段により遅延された映像信号から、色信号が輝度信号に周波数多重された領域成分を抽出する時間垂直水平方向多重色信号成分抽出手段と、
入力映像信号と上記ライン遅延手段あるいは上記フィールド遅延手段により遅延された映像信号から、高精細成分が輝度信号に周波数多重された領域成分を抽出する時間垂直水平方向多重高精細成分抽出手段と、
上記入力映像信号が現行の複合映像信号であるか高精細映像信号であるか、また高精細映像信号であるなら輝度信号の高精細成分が多重されているか否か、を判断する識別制御信号デコーダと、
上記時間垂直水平方向多重色信号成分抽出手段出力と上記時間垂直水平方向多重高精細成分抽出手段出力とを加算する加算手段と、
上記時間垂直水平方向多重高精細成分抽出手段出力を上記時間水平垂直方向多重色信号成分抽出手段出力と加算するか否かを、上記識別制御デコーダの識別結果により、輝度信号の高精細成分が多重されていると判断された場合は加算する側に、輝度信号の高精細成分が多重されていないと判断された場合は加算しない側に、切り替えるスイッチと、
上記加算手段出力の絶対値を算出する第一の絶対値算出手段と、
上記１フレーム間の差分信号の絶対値を算出する第二の絶対値算出手段と、
上記２フレーム間の差分信号の絶対値を算出する第三の絶対値算出手段と、
第二の絶対値算出手段出力から上記第一の絶対値算出手段出力を減算する減算手段と、
上記減算手段出力と定数を比較する第一の比較手段と、
上記第三の絶対値算出手段出力と定数を比較する第二の比較手段と、
上記第一の比較手段出力と上記第二の比較手段出力について論理演算をおこなう演算手段と
を備えたことを特徴とする動き検出回路。
【請求項４】
色信号を輝度信号の高域周波数領域に周波数多重した複合映像信号と、輝度信号の高精細成分を伝送帯域内に周波数多重した高精細映像信号との動きを検出する回路において、
水平走査周波数に同期した周波数で標本化された入力映像信号を１ライン分遅延させる複数のライン遅延手段と、
入力映像信号を１フィールド分遅延させる複数のフィールド遅延手段よりなるメモリ回路と、
入力映像信号と上記ライン遅延手段あるいは上記フィールド遅延手段により遅延された映像信号から、１フレーム間の差分信号を抽出する第一の時間方向差分検出手段と、
入力映像信号と上記ライン遅延手段あるいは上記フィールド遅延手段により遅延された映像信号から、２フレーム間の差分信号を抽出する第二の時間方向差分検出手段と、
入力映像信号と上記ライン遅延手段あるいは上記フィールド遅延手段により遅延された映像信号から、色信号が輝度信号に周波数多重された領域成分を抽出する時間垂直水平方向多重色信号成分抽出手段と、
入力映像信号と上記ライン遅延手段あるいは上記フィールド遅延手段により遅延された映像信号から、高精細成分が輝度信号に周波数多重された領域成分を抽出する時間垂直水平方向多重高精細成分抽出手段と、
上記入力映像信号が現行の複合映像信号であるか高精細映像信号であるか、また高精細映像信号であるなら輝度信号の高精細成分が多重されているか否か、を判断する識別制御信号デコーダと、
上記時間垂直水平方向多重色信号成分抽出手段出力と上記時間垂直水平方向多重高精細成分抽出手段出力とを加算する加算手段と、
上記時間垂直水平方向多重高精細成分抽出手段出力を上記時間水平垂直方向多重色信号成分抽出手段出力と加算するか否かを、上記識別制御デコーダの識別結果により、輝度信号の高精細成分が多重されていると判断された場合は加算する側に、輝度信号の高精細成分が多重されていないと判断された場合は加算しない側に、切り替えるスイッチと、
上記加算手段出力の絶対値を算出する第一の絶対値算出手段と、
上記１フレーム間の差分信号の絶対値を算出する第二の絶対値算出手段と、
上記２フレーム間の差分信号の絶対値を算出する第三の絶対値算出手段と、
第二の絶対値算出手段と上記第三の絶対値算出手段出力のうち大きい方を選択する最大値算出手段と、
上記最大値算出手段出力から上記第一の絶対値算出手段出力を減算する減算手段と、
上記減算手段出力と定数を比較する比較手段と
を備えたことを特徴とする動き検出回路。
【発明の詳細な説明】
【０００１】
【産業上の利用分野】
本発明はＮＴＳＣ方式のように搬送色信号が輝度信号に多重されている複合カラーテレビ信号の動き検出回路に関するものである。
【０００２】
【従来の技術】
図２９は従来の動き検出回路の一例を示す概略ブロック図である。図において、１は入力端子、１１はＡ／Ｄ変換器、５０ａ，５０ｂは１フレーム遅延器、１５ｃは１フレーム間の差分を検出する時間方向差分検出手段、１５ｂは２フレーム間の差分を検出する時間方向差分検出手段、３５は水平低域成分を通過させる低域通過フィルタ（以下、ＬＰＦと称す）、１６ｆ，１６ｇは絶対値回路、１９は最大値回路、２は出力端子である。
【０００３】
図３０は従来の動き検出回路における１フレーム間の差分を検出する時間方向差分検出手段１５ｃの概略ブロック図である。図において、１７ｄは入力信号のそれぞれを減算する減算器である。
【０００４】
次に、上記動き検出回路の動作について説明する。入力端子１より入力された複合カラーテレビ信号は、Ａ／Ｄ変換器１１で標本化される。標本化された複合カラーテレビ信号は１フレーム遅延器５０ａ，５０ｂでそれぞれ１フレーム遅延された信号と２フレーム遅延された信号になる。Ａ／Ｄ変換器１１出力と１フレーム遅延器５０ａ出力は時間方向差分検出手段１５ｃにおける減算器１７ｄで減算され、輝度信号に関する１フレーム間差信号が得られる。しかしながらＮＴＳＣ方式のように色信号成分が輝度信号に多重されている複合カラーテレビ信号の場合、色信号を変調している搬送波の位相はフレーム毎に反転しているので、１フレーム間差信号は動き情報とともに色信号成分の位相が変化して結果として色信号成分が漏れ込むため、この漏れこんだ色信号成分を除去する必要がある。したがって、上記１フレーム間差信号はＬＰＦ３５にて色信号成分が除去され、絶対値回路１６ｆを介して輝度信号の低域成分の動きが検出される。
【０００５】
Ａ／Ｄ変換器１１出力と１フレーム遅延器５０ｂ出力は時間方向差分検出手段１５ｂにおける減算器１７ｃで減算され、２フレーム間差信号が得られる。上記１フレーム間差信号と２フレーム間差信号は、最大値回路１９で合成され出力端子２より出力される。
【０００６】
【発明が解決しようとする課題】
従来の動き検出回路では１フレーム間差による動きの検出は水平ＬＰＦにより検出領域を帯域制限しているが、ＮＴＳＣ方式複合カラーテレビ信号では色信号成分は時間−垂直周波数平面における第２、第４象限に存在するので、水平方向ＬＰＦによる帯域成分では、動き成分に混入する色信号成分のみならず第１、第３象限に存在する輝度信号成分まで除去してしまうという問題点があった。
【０００７】
本発明は上記のような問題点を解消するためになされたもので、複合カラーテレビジョン信号の動きを検出する回路において、動き成分に混入する色信号成分だけでなく時間ー垂直周波数平面における第１、第３象限に存在する輝度信号高域成分も行える好適な動き検出回路を得ることを目的とする。
【０００８】
【課題を解決するための手段】
本願請求項１に係る動き検出回路は、
色信号を輝度信号の高域周波数領域に周波数多重した複合映像信号の動きを検出する回路において、
水平走査周波数に同期した周波数で標本化された複合映像信号を１ライン分遅延させる複数のライン遅延手段と、
複合映像信号を１フィールド分遅延させる複数のフィールド遅延手段よりなるメモリ回路と、
入力複合映像信号と上記ライン遅延手段あるいは上記フィールド遅延手段により遅延された複合映像信号から、１フレーム間の差分信号を抽出する第一の時間方向差分検出手段と、
入力複合映像信号と上記ライン遅延手段あるいは上記フィールド遅延手段により遅延された複合映像信号から、２フレーム間の差分信号を抽出する第二の時間方向差分検出手段と、
入力複合映像信号と上記ライン遅延手段あるいは上記フィールド遅延手段により遅延された複合映像信号から、色信号が輝度信号に周波数多重された領域成分を抽出する時間−垂直−水平方向多重色信号成分抽出手段と、
上記時間−垂直−水平方向多重色信号成分抽出手段出力の絶対値を算出する第一の絶対値算出手段と、
上記１フレーム間の差分信号の絶対値を算出する第二の絶対値算出手段と、
上記２フレーム間の差分信号の絶対値を算出する第三の絶対値算出手段と、
上記１フレーム間差分信号の絶対値から上記第一の絶対値算出手段出力を減算する減算手段と、
上記第三の絶対値算出手段出力と上記減算手段出力とを合成して動き検出信号を出力する合成回路と
を備え、
上記時間−垂直−水平方向多重色信号成分抽出手段は、時間周波数−垂直周波数平面の第２及び第４象限において色信号が存在する−１５[Ｈｚ］、５２５／４［ｃｐｈ]の領域の成分、及び１５[Ｈｚ］、−５２５／４［ｃｐｈ]の領域の成分を抽出し、それ以外の領域の成分を抽出せず、
前記時間周波数−垂直周波数平面の−１５[Ｈｚ］、５２５／４［ｃｐｈ]の領域の成分、及び１５[Ｈｚ］、−５２５／４［ｃｐｈ]の領域の成分は、前記動き検出信号の一部とはならず、それ以外の領域の成分は、前記動き検出信号の一部となるようにした
ことを特徴とする。
【００１９】
また、請求項２に係る動き検出回路は、
水平走査周波数に同期した周波数で標本化された入力映像信号を１ライン分遅延させる複数のライン遅延手段と、
入力映像信号を１フィールド分遅延させる複数のフィールド遅延手段よりなるメモリ回路と、
入力映像信号と上記ライン遅延手段あるいは上記フィールド遅延手段により遅延された映像信号から、１フレーム間の差分信号を抽出する第一の時間方向差分検出手段と、
入力映像信号と上記ライン遅延手段あるいは上記フィールド遅延手段により遅延された映像信号から、２フレーム間の差分信号を抽出する第二の時間方向差分検出手段と、
入力映像信号と上記ライン遅延手段あるいは上記フィールド遅延手段により遅延された映像信号から、色信号が輝度信号に周波数多重された領域成分を抽出する時間垂直水平方向多重色信号成分抽出手段と、
入力映像信号と上記ライン遅延手段あるいは上記フィールド遅延手段により遅延された映像信号から、高精細成分が輝度信号に周波数多重された領域成分を抽出する時間垂直水平方向多重高精細成分抽出手段と、
上記入力映像信号が現行の複合映像信号であるか高精細映像信号であるか、また高精細映像信号であるなら輝度信号の高精細成分が多重されているか否か、を判断する識別制御信号デコーダと、
上記時間垂直水平方向多重色信号成分抽出手段出力と上記時間垂直水平方向多重高精細成分抽出手段出力とを加算する加算手段と、
上記時間垂直水平方向多重高精細成分抽出手段出力を上記時間水平垂直方向多重色信号成分抽出手段出力と加算するか否かを、上記識別制御デコーダの識別結果により、輝度信号の高精細成分が多重されていると判断された場合は加算する側に、輝度信号の高精細成分が多重されていないと判断された場合は加算しない側に、切り替えるスイッチと、
上記加算手段出力の絶対値を算出する第一の絶対値算出手段と、
上記１フレーム間の差分信号の絶対値を算出する第二の絶対値算出手段と、
上記２フレーム間の差分信号の絶対値を算出する第三の絶対値算出手段と、
上記フレーム間差分信号の絶対値から上記第一の絶対値算出手段出力を減算する減算手段と、
上記絶対値算出手段出力と上記減算手段出力とを合成する合成回路と
で構成したものである。
【００２１】
また、請求項３に係る動き検出回路は、水平走査周波数に同期した周波数で標本化された入力映像信号を１ライン分遅延させる複数のライン遅延手段と、
入力映像信号を１フィールド分遅延させる複数のフィールド遅延手段よりなるメモリ回路と、
入力映像信号と上記ライン遅延手段あるいは上記フィールド遅延手段により遅延された映像信号から、１フレーム間の差分信号を抽出する第一の時間方向差分検出手段と、
入力映像信号と上記ライン遅延手段あるいは上記フィールド遅延手段により遅延された映像信号から、２フレーム間の差分信号を抽出する第二の時間方向差分検出手段と、
入力映像信号と上記ライン遅延手段あるいは上記フィールド遅延手段により遅延された映像信号から、色信号が輝度信号に周波数多重された領域成分を抽出する時間垂直水平方向多重色信号成分抽出手段と、
入力映像信号と上記ライン遅延手段あるいは上記フィールド遅延手段により遅延された映像信号から、高精細成分が輝度信号に周波数多重された領域成分を抽出する時間垂直水平方向多重高精細成分抽出手段と、
上記入力映像信号が現行の複合映像信号であるか高精細映像信号であるか、また高精細映像信号であるなら輝度信号の高精細成分が多重されているか否か、を判断する識別制御信号デコーダと、
上記時間垂直水平方向多重色信号成分抽出手段出力と上記時間垂直水平方向多重高精細成分抽出手段出力とを加算する加算手段と、
上記時間垂直水平方向多重高精細成分抽出手段出力を上記時間水平垂直方向多重色信号成分抽出手段出力と加算するか否かを、上記識別制御デコーダの識別結果により、輝度信号の高精細成分が多重されていると判断された場合は加算する側に、輝度信号の高精細成分が多重されていないと判断された場合は加算しない側に、切り替えるスイッチと、
上記加算手段出力の絶対値を算出する第一の絶対値算出手段と、
上記１フレーム間の差分信号の絶対値を算出する第二の絶対値算出手段と、
上記２フレーム間の差分信号の絶対値を算出する第三の絶対値算出手段と、
第二の絶対値算出手段出力から上記第一の絶対値算出手段出力を減算する減算手段と、
上記減算手段出力と定数を比較する第一の比較手段と、
上記第三の絶対値算出手段出力と定数を比較する第二の比較手段と、
上記第一の比較手段出力と上記第二の比較手段出力について論理演算をおこなう演算手段と
で構成したものである。
【００２２】
また、請求項４に係る動き検出回路は、水平走査周波数に同期した周波数で標本化された入力映像信号を１ライン分遅延させる複数のライン遅延手段と、
入力映像信号を１フィールド分遅延させる複数のフィールド遅延手段よりなるメモリ回路と、
入力映像信号と上記ライン遅延手段あるいは上記フィールド遅延手段により遅延された映像信号から、１フレーム間の差分信号を抽出する第一の時間方向差分検出手段と、
入力映像信号と上記ライン遅延手段あるいは上記フィールド遅延手段により遅延された映像信号から、２フレーム間の差分信号を抽出する第二の時間方向差分検出手段と、
入力映像信号と上記ライン遅延手段あるいは上記フィールド遅延手段により遅延された映像信号から、色信号が輝度信号に周波数多重された領域成分を抽出する時間垂直水平方向多重色信号成分抽出手段と、
入力映像信号と上記ライン遅延手段あるいは上記フィールド遅延手段により遅延された映像信号から、高精細成分が輝度信号に周波数多重された領域成分を抽出する時間垂直水平方向多重高精細成分抽出手段と、
上記入力映像信号が現行の複合映像信号であるか高精細映像信号であるか、また高精細映像信号であるなら輝度信号の高精細成分が多重されているか否か、を判断する識別制御信号デコーダと、
上記時間垂直水平方向多重色信号成分抽出手段出力と上記時間垂直水平方向多重高精細成分抽出手段出力とを加算する加算手段と、
上記時間垂直水平方向多重高精細成分抽出手段出力を上記時間水平垂直方向多重色信号成分抽出手段出力と加算するか否かを、上記識別制御デコーダの識別結果により、輝度信号の高精細成分が多重されていると判断された場合は加算する側に、輝度信号の高精細成分が多重されていないと判断された場合は加算しない側に、切り替えるスイッチと、
上記加算手段出力の絶対値を算出する第一の絶対値算出手段と、
上記１フレーム間の差分信号の絶対値を算出する第二の絶対値算出手段と、
上記２フレーム間の差分信号の絶対値を算出する第三の絶対値算出手段と、
第二の絶対値算出手段と上記第三の絶対値算出手段出力のうち大きい方を選択する最大値算出手段と、
上記最大値算出手段出力から上記第一の絶対値算出手段出力を減算する減算手段と、
上記減算手段出力と定数を比較する比較手段と
で構成したものである。
【００２４】
【作用】
本発明の請求項１に係る動き検出回路においては、動きの誤検出を起こす色信号成分を除去するために時間−垂直−水平方向多重色信号成分抽出手段を用いて、時間−垂直周波数平面における第２、第４象限に存在する色信号成分の絶対値を１フレーム間差分信号成分の絶対値から引き去る。
【００３５】
また、請求項２に係る動き検出回路においては、動きの誤検出を起こす色信号成分を除去するために時間垂直水平方向多重色信号成分抽出手段を用いて、時間−垂直周波数平面における第２、第４象限に存在する色信号成分の絶対値を１フレーム間差分信号成分の絶対値から引き去る。また、入力信号が高精細映像信号の時に限り、時間垂直水平方向多重高精細成分抽出手段を用いて、時間−垂直周波数平面における第１、第３象限に存在する高精細成分の絶対値を、色信号成分の絶対値と共に１フレーム間差分信号成分の絶対値から引き去る。
【００３７】
また、請求項３に係る動き検出回路においては、動きの誤検出を起こす色信号成分を除去するために時間垂直水平方向多重色信号成分抽出手段を用いて、時間−垂直周波数平面における第２、第４象限に存在する色信号成分の絶対値を１フレーム間差分信号成分の絶対値から引き去り、これと定数との比較判定結果ならびに２フレーム間差分信号成分の絶対値と定数との比較判定結果を論理演算する。また、入力信号が高精細映像信号の時に限り、時間垂直水平方向多重高精細成分抽出手段を用いて、時間−垂直周波数平面における第１、第３象限に存在する高精細成分の絶対値を、色信号成分の絶対値と共に１フレーム間差分信号成分の絶対値から引き去り、これと定数との比較判定結果ならびに２フレーム間差分信号成分の絶対値と定数との比較判定結果を論理演算する。
【００３８】
また、請求項４に係る動き検出回路においては、動きの誤検出を起こす色信号成分を除去するために時間垂直水平方向多重色信号成分抽出手段を用いて、時間−垂直周波数平面における第２、第４象限に存在する色信号成分の絶対値を１フレーム間差分信号成分の絶対値と２フレーム間差分信号成分の絶対値から引き去り、これと定数とを比較判定する。また、入力信号が高精細映像信号の時に限り、時間垂直水平方向多重高精細成分抽出手段を用いて、時間−垂直周波数平面における第１、第３象限に存在する高精細成分の絶対値を、色信号成分の絶対値と共に１フレーム間差分信号成分の絶対値から引き去り、これと定数とを比較判定する。
【００４０】
【実施例】
実施例１．
図１は本発明の実施例１における動き検出回路を示す概略ブロック図である。図において、１はＮＴＳＣ方式等の複合カラーテレビジョン信号を入力する入力端子である。この複合カラーテレビジョン信号はＡ／Ｄ変換器１１に入力される。Ａ／Ｄ変換器１１の出力信号ｂはフィールド遅延器１２ａに与えられる。フィールド遅延器１２ａの出力ｄは、時間−垂直−水平方向色信号抽出フィルタ１４に与えられるとともに、入力信号に対し１ライン遅延された信号を出力するようなライン遅延器１３ａに与えられる。ライン遅延器１３ａの出力ｅは、時間−垂直−水平方向色信号抽出フィルタ１４に与えられるとともに、入力信号に対し２６１ライン遅延された信号を出力するようなフィールド遅延器１２ｂに与えられる。この出力ｆは以下、ライン遅延器１３ｂ、ライン遅延器１３ｃ、フィールド遅延器１２ｃ、ライン遅延器１３ｄ、フィールド遅延器１２ｄの順に遅延され、各遅延器の出力ｇ，ｈ，ｉ，ｊ，ｌは、時間−垂直−水平方向色信号抽出フィルタ１４に与えられる。また、ライン遅延器１３ｄ出力ｄは、水平方向色信号抽出フィルタ１５に与えられ、Ａ／Ｄ変換器１１、ライン遅延器１３ｂ、フィールド遅延器１２ｄの各出力ｂ，ｇ，ｌは時間方向差分検出手段１５ａに与えられる。また、信号ｂ，ｌは時間方向差分検出手段１５ｂにも与えられる。時間−垂直−水平方向色信号抽出フィルタ１４、時間方向差分検出手段１５ａ、１５ｂの出力はそれぞれ絶対値回路１６ａ，１６ｂ，１６ｃに与えられる。絶対値回路１６ａ，１６ｂの出力は減算器１７に与えられ、減算器１７ならびに絶対値回路１６ｃ出力は合成回路１８に与えられ、合成回路１８出力は出力端子２から動き検出出力として出力される。
【００４１】
図２は実施例１における時間−垂直−水平方向色信号抽出フィルタ１４を示す概略ブロック図である。入力信号ｂ，ｄ，ｆ，ｈ，ｊ，ｌは加算器２９ａに、入力信号ｅ，ｉは加算器２９ｂに与えられる。入力信号ｇは乗算器３０ｂで０．２倍され、加算器２９ａ出力は乗算器３０ａで−０．１倍され、加算器２９ｂ出力は乗算器３０ｃで０．１倍される。乗算器３０ａ，３０ｂ，３０ｃ出力は加算器２９ｃに入力され、加算器２９ｃ出力は、時間−垂直方向色信号抽出フィルタ３１出力として、水平方向色信号抽出フィルタ３２に与えられ、水平方向色信号抽出フィルタ３２出力は、時間−垂直−水平方向色信号抽出フィルタ１４出力として送られる。
【００４２】
図３は実施例１における時間方向差分検出手段１５ａの一実施例を示す概略ブロック図である。図において、入力信号ｂは減算器１７ａに、入力信号ｇは減算器１７ａ、１７ｂに、入力信号ｌは減算器１７ｂに入力される。減算器１７ａ、１７ｂ出力は加算器２９ｄに入力される。加算器２９ｄ出力は１フレーム間差分信号として出力される。
【００４３】
図４は実施例１における時間方向差分検出手段１５ｂの一実施例を示す概略ブロック図である。図において、入力信号ｂ、ｌは減算器１７ｃに入力される。減算器１７ｃ出力は２フレーム間差分信号として出力される。
【００４４】
次に、図１ないし図４に基づき動作について説明する。端子１より入力された入力信号は、Ａ／Ｄ変換器１１により、ディジタル値に変換された後、フィールド遅延回路１２ａ〜１２ｄ、ライン遅延回路１３ａ〜１３ｄにより遅延され、Ａ／Ｄ変換器１１の出力信号ならびに上記遅延回路の出力信号は時間−垂直−水平方向色信号抽出フィルタ１４に与えられる。また、Ａ／Ｄ変換器１１、ライン遅延回路１３ｂ、フィールド遅延回路１２ｄの出力信号は時間方向差分検出手段１５ａに、Ａ／Ｄ変換器１１、フィールド遅延回路１２ｄの出力信号は時間方向差分検出手段１５ｂに与えられる。
【００４５】
図２における時間−垂直方向色信号抽出フィルタ３１のフィルタ特性を図２７に示す。ＮＴＳＣテレビジョン信号における色信号の３次元周波数特性は図２８に示すように、時間−垂直周波数平面の第２、第４象限に分布する。時間−垂直−水平方向色信号抽出フィルタ１４では、時間−垂直方向色信号抽出フィルタ３１に水平方向色信号抽出フィルタ３２を縦続接続することで、図２７に示すように、時間−垂直周波数平面における第２、第４象限に通過域をとるようなフィルタ特性を持つことから、漏れ込みの非常に少ない色信号成分を抽出できる。
なお、このときの水平方向色信号抽出フィルタ３２の伝達関数は、例えば、
Ｃh （Ｚ）＝（−１／１６）（１−Ｚ-2）３
と表される。ここで、Ｚ-1は１画素遅延を表わすＺ変換の記号であり、色副搬送波周波数をｆｓｃで表わすと、
Ｚ-1＝ｅｘｐ（−ｊ２πｆ／４ｆｓｃ）
である。
【００４６】
時間−垂直−水平方向色信号抽出フィルタ１４、時間方向差分検出手段１５ａ、１５ｂの出力はそれぞれ絶対値回路１６ａ，１６ｂ，１６ｃにより絶対値化される。絶対値回路１６ａ出力を絶対値回路１６ｂ出力から、減算器１７により減算することで、時間方向差分成分から色信号成分が除去される。減算器１７出力と絶対値回路１６ｃ出力は、合成回路１８で合成され動き検出信号として出力される。
なお、時間−垂直−水平方向色信号抽出フィルタ１４は、時間−垂直周波数平面における第２、第４象限に通過域をとるようなフィルタ特性を持つならば、上述の構成にとらわれるものではない。
【００４７】
実施例２．
図５は本発明の実施例２における動き検出回路を示す概略ブロック図である。図において、入力端子１から減算器１７および絶対値回路１６ｃまでの構成は図１と同じである。減算器１７ならびに絶対値回路１６ｃ出力は最大値回路１９に与えられ、最大値回路１９出力は定数発生回路２０出力と比較回路２１で比較される。
【００４８】
実施例１と同様な減算器１７出力は、１フレーム間の時間方向差分成分から色信号成分を除去したものであり、絶対値回路１６ｃ出力は、２フレーム間の時間方向差分成分を示したものである。この、減算器１７出力と絶対値回路１６ｃ出力のうち大きい方が、最大値回路１９より出力される。最大値回路１９出力は、定数発生回路２０より発生された定数と比較され、この定数より大きい場合、比較回路２１より、２値信号として表現される動き検出信号が出力される。
【００４９】
実施例３．
図６は本発明の実施例３における動き検出回路を示す概略ブロック図である。図において、図５と同等の箇所には同じ符号を施した。Ａ／Ｄ変換器１１、ライン遅延回路１３ｂの出力信号は時間方向差分検出手段１５ｃに与えられる。
【００５０】
図７は実施例３における１フレーム間の差分を検出する時間方向差分検出手段１５ｃを示す概略ブロック図である。図において、入力信号ｂならびにｇは減算器１７ｄに入力される。減算器１７ｄ出力は１フレーム間差分信号として出力される。
【００５１】
実施例３における時間方向差分検出手段１５ｃは、実施例２における時間方向差分検出手段１５ａよりも少ない入力信号で、１フレーム間の時間方向差分成分を簡易に検出する。
【００５２】
実施例４．
図８は本発明の実施例４における動き検出回路を示す概略ブロック図である。図において、入力端子１から減算器１７および絶対値回路１６ｃまでの構成は図１と同じである。減算器１７出力は比較回路２１ａに、絶対値回路１６ｃ出力は比較回路２１ｂに与えられ、それぞれ定数発生回路２０出力と比較される。２つの比較回路の出力は、ＯＲ回路２２に入力される。ＯＲ回路２２出力は、動き検出信号として出力される。
【００５３】
実施例５．
図９は本発明の実施例５における動き検出回路を示す概略ブロック図である。図において、入力端子１から絶対値回路１６ａ、１６ｂおよび１６ｃまでの構成は図１と同じである。絶対値回路１６ｂおよび１６ｃ出力は最大値回路１９に、絶対値回路１６ａおよび最大値回路１９出力は減算器１７に、減算器１７出力は比較回路２１に与えられ、定数発生回路２０出力と比較される。比較回路２１の出力は、動き検出信号として出力される。
【００５４】
実施例６．
図１０は本発明の実施例６における動き検出回路を示す概略ブロック図である。図において、入力端子１から時間−垂直−水平方向色信号抽出フィルタ１４および時間方向差分検出手段１５ｂ、１５ｃまでの構成は図６と同じである。時間−垂直−水平方向色信号抽出フィルタ１４出力と時間方向差分検出手段１５ｃ出力は減算器１７に与えられる。時間方向差分検出手段１５ｂおよび減算器１７の出力はそれぞれ絶対値回路１６ｂ，１６ｆに与えられる。絶対値回路１６ｂ、１６ｆの出力は最大値回路１９に与えられ、最大値回路１９出力は比較回路２１において定数発生回路２０出力と比較され、比較回路２１出力が動き検出信号として出力される。
【００５５】
実施例７．
図１１は本発明の実施例７における動き検出回路を示す概略ブロック図である。図において、入力端子１から減算器１７および絶対値回路１６ｃまでの構成は図１と同じである。Ａ／Ｄ変換器１１、ライン遅延回路１３ａ、１３ｂ、および１３ｄの出力信号は時間方向差分検出手段１５ｄに、フィールド遅延回路１２ａ、１２ｃおよび１２ｄ、ライン遅延回路１３ｂの出力信号は時間方向差分検出手段１５ｅに与えられる。時間方向差分検出手段１５ｄ、１５ｅの出力はそれぞれ絶対値回路１６ｄ，１６ｅに与えられる。減算器１７、絶対値回路１６ｃ、１６ｄ、１６ｅの出力はそれぞれ比較回路２１ａ，２１ｂ，２１ｃ，２１ｄにおいて定数発生回路２０出力と比較される。比較回路２１ｃ、２１ｄ出力はＯＲ回路２２ｃに与えられ、比較回路２１ｂ、ＯＲ回路２２ｃ出力はＯＲ回路２２ｂに与えられ、比較回路２１ａ、ＯＲ回路２２ｂ出力はＯＲ回路２２ａに与えられる。
【００５６】
実施例８．
図１２は本発明の実施例８における動き検出回路を示す概略ブロック図である。図において、入力端子１から絶対値回路１６ａ、１６ｂおよび１６ｃまでの構成は図１と同じである。絶対値回路１６ａ、１６ｂおよび１６ｃ出力はそれぞれクリア回路２３ａ、２３ｂおよび２３ｃの一方の入力端子に与えられ、それぞれの他方の入力端子には入力端子３、４および５から入力された信号が与えられる。クリア回路２３ａおよび２３ｂ出力は減算器１７に与えられる。減算器１７出力は比較回路２１ａに、クリア回路２３ｃ出力は比較回路２１ｂに与えられ、定数発生回路２０出力と比較される。比較回路２１ａと２１ｂの出力はＯＲ回路２２に与えられ、ＯＲ回路２２の出力は、動き検出信号として出力される。
【００５７】
図１３は実施例８におけるクリア回路２３ａ、２３ｂおよび２３ｃを示す概略ブロック図である。図において、入力信号の各ビットはＡＮＤ回路３３ａ〜３３ｈに入力される。入力端子３、４および５から入力された信号が“Ｌ”レベルの信号だった場合に、絶対値回路１６ａ、１６ｂおよび１６ｃ出力はそれぞれクリアされる。
【００５８】
実施例９．
図１４は本発明の実施例９における動き検出回路を示す概略ブロック図である。図において、入力端子１から絶対値回路１６ａ、１６ｂおよび１６ｃまでの構成は図１と同じである。絶対値回路１６ａ出力は増幅回路２４に与えられ、入力端子６より入力された信号が、増幅回路２４における制御信号となる。増幅回路２４および絶対値回路１６ｂ出力は減算器１７に与えられる。減算器１７出力は比較回路２１ａに、絶対値回路１６ｃ出力は比較回路２１ｂに与えられ、定数発生回路２０出力と比較される。比較回路２１ａと２１ｂの出力はＯＲ回路２２に与えられ、ＯＲ回路２２の出力は、動き検出信号として出力される。
【００５９】
図１５は実施例９における増幅回路２４を示す概略ブロック図である。図において、入力信号は、１倍、２倍、４倍され制御信号によりこれらの信号のどれかが出力される。本実施例における増幅レベルは、ディジタル信号として構成しやすい１倍と２倍と４倍に決めていたが、このレベルに限らない。
【００６０】
実施例１０．
図１６は本発明の実施例１０における動き検出回路を示す概略ブロック図である。図において、入力端子１から絶対値回路１６ａ、１６ｂおよび１６ｃまでの構成は図１と同じである。絶対値回路１６ａ出力はコアリング回路２５に与えられ、入力端子７より入力された信号が、コアリング回路２５における参照信号となる。コアリング回路２５および絶対値回路１６ｂ出力は減算器１７に与えられる。減算器１７出力は比較回路２１ａに、絶対値回路１６ｃ出力は比較回路２１ｂに与えられ、定数発生回路２０出力と比較される。比較回路２１ａと２１ｂの出力はＯＲ回路２２に与えられ、ＯＲ回路２２の出力は、動き検出信号として出力される。
【００６１】
図１７は実施例１０におけるコアリング回路２５の一実施例を示す概略ブロック図である。図において、入力信号は、比較回路２１ｅにおいて参照信号と比較され、比較回路２１ｅ出力はクリア回路２３ｄに与えられる。クリア回路２３ｄでは、比較回路２１ｅにおいて入力信号が参照信号より小さい場合に、入力信号を“０”とする。
【００６２】
実施例１１．
図１８は本発明の実施例１１における動き検出回路を示す概略ブロック図である。図において、入力端子１からＯＲ回路２２までの構成は図８と同じである。ＯＲ回路２２出力は遅延器２６ａに与えられ、遅延器２６ａ出力は遅延器２６ｂに、以下順に、遅延器２６ｃ、２６ｄに与えられる。ＯＲ回路２２、遅延器２６ａ、２６ｂ、２６ｃ、２６ｄの出力はＯＲ回路２７に、遅延器２６ｂ、ＯＲ回路２７の出力はＡＮＤ回路３１ｉに与えられる。ＡＮＤ回路３１ｉの出力は、動き検出信号として出力される。この回路構成により、ＯＲ回路２２出力において、動き検出が“１”レベルになった場合でも、その前後２サンプル（計４サンプル）がすべて“０”レベルの場合には、出力動き検出信号は“０”になる。
【００６３】
実施例１２．
図１９は本発明の実施例１２における動き検出回路を示す概略ブロック図である。図において、入力端子１から減算器１７、絶対値回路１６ｃまでの構成は図１と同じである。減算器１７出力は符号判定・クリア回路２８に与えられ、符号判定・クリア回路２８出力は比較回路２１ａに、絶対値回路１６ｃ出力は比較回路２１ｂに与えられ、定数発生回路２０出力と比較される。比較回路２１ａと２１ｂの出力はＯＲ回路２２に与えられ、ＯＲ回路２２の出力は、動き検出信号として出力される。
【００６４】
図２０は実施例１２における符号判定・クリア回路２８を示す概略ブロック図である。図において、入力信号の最上位ビットを除く各ビットはＡＮＤ回路３３ａ〜３３ｈの一方の入力端に入力される。最上位ビットの入力信号はＮＯＴ回路３４により反転され、ＡＮＤ回路３３ａ〜３３ｈの他方の入力端に入力される。入力信号が負の信号の場合、２の補数表現の最上位ビットは“１”となり、このときＡＮＤ回路３３ａ〜３３ｈにおいて入力信号の全ビットはクリアされる。
【００６５】
符号判定・クリア回路２８により、時間方向差分成分と時間−垂直−水平方向色信号成分の減算をおこなった減算器１７出力信号が負の数値の場合、信号をクリアすることで、色信号成分の混入の少ない動き検出信号を出力する。
【００６６】
実施例１３．
図２１は本発明の実施例１３における動き検出回路を示す概略ブロック図である。図において、図１と同等の個所には同じ番号が施されている。識別制御信号デコーダ６２の出力は、時間−垂直−水平方向高精細成分抽出フィルタ６０の出力と時間−垂直−水平方向色信号抽出フィルタ１４の出力とを加算器２９ｅで加算するか否かを、スイッチ６１で切り換えるために用いられる。
【００６７】
図２２は本発明における時間−垂直−水平方向高精細成分抽出フィルタ６０の一例を示すブロック図である。入力信号ｂ，ｅ，ｆ，ｈ，ｉ，ｌは加算器２９ｆに、入力信号ｄ，ｊは加算器２９ｇに与えられる。入力信号ｇは乗算器３０ｅで０．２倍され、加算器２９ｆ出力は乗算器３０ｄで−０．１倍され、加算器２９ｇ出力は乗算器３０ｆで０．１倍される。乗算器３０ｄ，３０ｅ，３０ｆ出力は加算器２９ｈに入力され、加算器２９ｈ出力は、時間−垂直方向高精細成分抽出フィルタ６３出力として、水平方向高精細成分抽出フィルタ６４に与えられ、水平方向高精細成分抽出フィルタ６４出力は、時間−垂直−水平方向高精細成分抽出フィルタ６０出力として送られる。
【００６８】
識別制御信号デコーダ６２は入力信号の種類を判別できる識別制御信号を多重した高精細映像信号が入力されたとき、識別制御信号をデコードして、高精細成分が多重されているか否かを判定する。その時、入力信号が高精細成分の多重された高精細映像信号である場合、識別制御信号デコーダ６２はスイッチオンの信号を出す。時間−垂直−水平方向高精細成分抽出フィルタ６０の出力である高精細成分は、識別制御信号デコーダ６２の出力がスイッチオンの時、スイッチ６１によって、時間−垂直−水平方向色信号抽出フィルタ１４の出力である色信号と加算器２９ｅを通して加算する。
【００６９】
実施例１４．
図２３は本発明の実施例１４における動き検出回路を示す概略ブロック図である。図において、図５と同等の個所には同じ符号を付している。識別制御信号デコーダ６２の出力は、時間−垂直−水平方向高精細成分抽出フィルタ６０の出力と時間−垂直−水平方向色信号抽出フィルタ１４の出力とを加算器２９ｅで加算するか否かを、スイッチ６１で切り換えるために用いられる。
【００７０】
実施例１５．
図２４は本発明の実施例１５における動き検出回路を示す概略ブロック図である。図において、図８と同等の個所には同じ符号を付している。識別制御信号デコーダ６２の出力は、時間−垂直−水平方向高精細成分抽出フィルタ６０の出力と時間−垂直−水平方向色信号抽出フィルタ１４の出力とを加算器２９ｅで加算するか否かを、スイッチ６１で切り換えるために用いられる。
【００７１】
実施例１６．
図２５は本発明の実施例１６における動き検出回路を示す概略ブロック図である。図において、図９と同等の個所には同じ番号が施されている。識別制御信号デコーダ６２の出力は、時間−垂直−水平方向高精細成分抽出フィルタ６０の出力と時間−垂直−水平方向色信号抽出フィルタ１４の出力とを加算器２９ｅで加算するか否かを、スイッチ６１で切り換えるために用いられる。
【００７２】
実施例１７．
図２６は本発明の実施例１７における動き検出回路を示す概略ブロック図である。図において、図１０と同等の個所には同じ符号を付している。識別制御信号デコーダ６２の出力は、時間−垂直−水平方向高精細成分抽出フィルタ６０の出力と時間−垂直−水平方向色信号抽出フィルタ１４の出力とを加算器２９ｅで加算するか否かを、スイッチ６１で切り換えるために用いられる。
【００７３】
なお、上記各実施例で用いたディジタルフィルタは一例であり、例えば、フィルタの次数を多く構成してもよい。
【００７４】
また、上記各実施例では各ディジタルフィルタがＦＩＲフィルタであったが、これはＩＩＲフィルタとして構成してもよい。
【００７５】
【発明の効果】
以上のように、本発明の請求項１記載の動き検出回路によれば、
時間−垂直−水平方向多重色信号成分抽出手段を用いて、時間−垂直周波数平面における第２、第４象限に存在する色信号成分の絶対値を１フレーム間差分信号成分の絶対値から引き去ることで、１フレーム間差分信号における色信号成分の漏れを減少させることができるとともに、１フレーム間差分信号における輝度信号の高域成分と２フレーム間差分信号における色信号の高域成分を供給するので正確な動き検出を可能とする効果がある。
【００８６】
また、請求項２記載の動き検出回路によれば、時間−垂直−水平方向多重色信号成分抽出手段を用いて、時間−垂直周波数平面における第２、第４象限に存在する色信号成分の絶対値を１フレーム間差分信号成分の絶対値から引き去ることで、１フレーム間差分信号における色信号成分の漏れを減少させることができる。さらに、入力信号が輝度信号の高精細成分を含む高精細映像信号である時、時間−垂直−水平方向多重高精細成分抽出手段を用いて、時間−垂直周波数平面における第１、第３象限に存在する高精細成分の絶対値を、色信号成分の除去された１フレーム間差分信号成分の絶対値から引き去ることで、１フレーム差分信号における高精細成分の漏れを減少させることができる。よって、１フレーム間差分信号における輝度信号の高域成分と２フレーム間分差信号における色信号の高域成分を用いた正確な動き検出を可能とする効果がある。
【００８８】
また、請求項３記載の動き検出回路によれば、時間−垂直−水平方向多重色信号成分抽出手段を用いて、時間−垂直周波数平面における第２、第４象限に存在する色信号成分の絶対値を１フレーム間差分信号成分の絶対値から引き去る。さらに、入力信号が輝度信号の高精細成分を含む高精細映像信号である時、時間−垂直−水平方向多重高精細成分抽出手段を用いて、時間−垂直周波数平面における第１、第３象限に存在する高精細成分の絶対値を、色信号成分の除去された１フレーム間差分信号成分の絶対値から引き去る。この１フレーム間差分信号成分の絶対値と定数との比較判定結果ならびに２フレーム間差分信号成分の絶対値と定数との比較判定結果を論理演算することで、動きの誤検出を起こす色信号成分を除去するので正確な動き検出を可能とする効果がある。
【００８９】
また、請求項４記載の動き検出回路によれば、時間−垂直−水平方向多重色信号成分抽出手段を用いて、時間−垂直周波数平面における第２、第４象限に存在する色信号成分の絶対値を、さらに入力信号が輝度信号の高精細成分を含む高精細映像信号である時、時間−垂直−水平方向多重高精細成分抽出手段を用いて、時間−垂直周波数平面における第１、第３象限に存在する高精細成分の絶対値を１フレーム間差分信号成分の絶対値と２フレーム間差分信号成分の絶対値の最大値から引き去り、これと定数とを比較判定することで、動きの誤検出を起こす色信号成分、および高精細成分を除去するので正確な動き検出を可能とする効果がある。
【図面の簡単な説明】
【図１】  本発明の実施例１における動き検出回路を示す概略ブロック図である。
【図２】  実施例１における時間−垂直−水平方向色信号抽出フィルタを示す概略ブロック図である。
【図３】  実施例１における１フレーム間の差分を検出する時間方向差分検出手段を示す概略ブロック図である。
【図４】  実施例１における２フレーム間の差分を検出する時間方向差分検出手段を示す概略ブロック図である。
【図５】  本発明の実施例２における動き検出回路を示す概略ブロック図である。
【図６】  本発明の実施例３における動き検出回路を示す概略ブロック図である。
【図７】  実施例３における１フレーム間の差分を検出する時間方向差分検出手段を示す概略ブロック図である。
【図８】  本発明の実施例４における動き検出回路を示す概略ブロック図である。
【図９】  本発明の実施例５における動き検出回路を示す概略ブロック図である。
【図１０】  本発明の実施例６における動き検出回路を示す概略ブロック図である。
【図１１】  本発明の実施例７における動き検出回路を示す概略ブロック図である。
【図１２】  本発明の実施例８における動き検出回路を示す概略ブロック図である。
【図１３】  実施例８におけるクリア回路２３ａ，２３ｂおよび２３ｃを示す概略ブロック図である。
【図１４】  本発明の実施例９における動き検出回路を示す概略ブロック図である。
【図１５】  実施例９における増幅回路を示す概略ブロック図である。
【図１６】  本発明の実施例１０における動き検出回路を示す概略ブロック図である。
【図１７】  実施例１０におけるコアリング回路を示す概略ブロック図である。
【図１８】  本発明の実施例１１における動き検出回路を示す概略ブロック図である。
【図１９】  本発明の実施例１２における動き検出回路を示す概略ブロック図である。
【図２０】  実施例１２における符号判定・クリア回路を示す概略ブロック図である。
【図２１】  本発明の実施例１３における動き検出回路を示す概略ブロック図である。
【図２２】  本発明における時間−垂直−水平方向高精細成分抽出フィルタの一例を示すブロック図である。
【図２３】  本発明の実施例１４における動き検出回路を示す概略ブロック図である。
【図２４】  本発明の実施例１５における動き検出回路を示す概略ブロック図である。
【図２５】  本発明の実施例１６における動き検出回路を示す概略ブロック図である。
【図２６】  本発明の実施例１７における動き検出回路を示す概略ブロック図である。
【図２７】  時間−垂直−水平方向色信号抽出フィルタにおける時間−垂直周波数特性である。
【図２８】  ＮＴＳＣ信号における色信号の３次元周波数特性である。
【図２９】  従来の動き検出回路を示す概略ブロック図である。
【図３０】  従来の動き検出回路における１フレーム間の差分を検出する時間方向差分検出手段を示す概略ブロック図である。
【符号の説明】
１，３，４，５，６，７  入力端子、２  出力端子、１２  フィールド遅延回路、１３  ライン遅延回路、１４  時間−垂直−水平方向色信号抽出フィルタ、１５  時間方向差分検出手段、１６  絶対値回路、１７  減算器、１８  合成回路、１９  最大値回路、２０  定数発生回路、２１  比較回路、２２，２７  ＯＲ回路、２３  クリア回路、２４  増幅回路、２５  コアリング回路、２６  遅延器、２８  符号判定・クリア回路、２９  加算器、３０  乗算器、３３  ＡＮＤ回路、６０  時間−垂直−水平方向高精細成分抽出フィルタ、６１  スイッチ、６２  識別制御信号デコーダ、６３  時間−垂直方向高精細成分抽出フィルタ、６４  水平方向高精細成分抽出フィルタ。
【図１】
0003803124.tif 000002
【図２】
0003803124.tif 000003
【図３】
0003803124.tif 000004
【図４】
0003803124.tif 000005
【図５】
0003803124.tif 000006
【図６】
0003803124.tif 000007
【図７】
0003803124.tif 000008
【図８】
0003803124.tif 000009
【図９】
0003803124.tif 000010
【図１０】
0003803124.tif 000011
【図１１】
0003803124.tif 000012
【図１２】
0003803124.tif 000013
【図１３】
0003803124.tif 000014
【図１４】
0003803124.tif 000015
【図１５】
0003803124.tif 000016
【図１６】
0003803124.tif 000017
【図１７】
0003803124.tif 000018
【図１８】
0003803124.tif 000019
【図１９】
0003803124.tif 000020
【図２０】
0003803124.tif 000021
【図２１】
0003803124.tif 000022
【図２２】
0003803124.tif 000023
【図２３】
0003803124.tif 000024
【図２４】
0003803124.tif 000025
【図２５】
0003803124.tif 000026
【図２６】
0003803124.tif 000027
【図２７】
0003803124.tif 000028
【図２８】
0003803124.tif 000029
【図２９】
0003803124.tif 000030
【図３０】
0003803124.tif 000031